(57)【要約】【課題】  マルチパス干渉を除去する際の演算量を低減させる。【解決手段】  遅延プロファイル作成部１２は、マルチパス干渉除去装置が起動されたときに遅延プロファイルを作成する。サンプル数制御部１３は、マルチパス干渉除去装置のタップ数が所定の閾値以上である場合に、Ａ／Ｄ変換部１１によってサンプリングされたサンプルデータから、干渉除去用のサンプリングレートであるチップレートに対応するサンプルデータを抽出する。チャネル行列生成部１４は、抽出されたサンプルデータに基づいてチャネル行列を生成する。重み行列生成部１５は、チャネル行列生成部１４により生成されたチャネル行列に基づいて重み行列を生成する。干渉除去部１６は、チャネル上のデータに重み行列を乗算することによってマルチパス干渉を除去する。【選択図】  図２
2007049500.tif 000002
【特許請求の範囲】
【請求項１】
マルチパス干渉を除去するマルチパス干渉除去装置を搭載する移動通信端末であって、
受信信号からサンプリングするサンプル数を制御するサンプル数制御手段と、
前記サンプル数制御手段により制御される前記サンプル数分のサンプルデータに基づいてチャネル行列を生成するチャネル行列生成手段と、
前記チャネル行列生成手段により生成されたチャネル行列に基づいてマルチパス干渉を除去する干渉除去手段と、
を備えることを特徴とする移動通信端末。
【請求項２】
前記サンプル数制御手段は、Ａ／Ｄコンバータにおいてサンプリングされたサンプルデータから所定のサンプリングレートに対応するサンプルデータを抽出することによって前記サンプル数を制御することを特徴とする請求項１記載の移動通信端末。
【請求項３】
前記所定のサンプリングレートは、前記Ａ／Ｄコンバータにおけるサンプリングレートよりも低く、かつチップレートの２ｎ倍（ｎ：０以上の整数）のサンプリングレートであることを特徴とする請求項２記載の移動通信端末。
【請求項４】
前記サンプル数制御手段は、前記マルチパス干渉除去装置が起動したときに、Ａ／Ｄコンバータにおけるサンプリングレートを所定のサンプリングレートに下げることによって前記サンプル数を制御することを特徴とする請求項１記載の移動通信端末。
【請求項５】
前記所定のサンプリングレートは、チップレートの２ｎ倍（ｎ：０以上の整数）のサンプリングレートであることを特徴とする請求項４記載の移動通信端末。
【請求項６】
前記サンプル数制御手段は、前記マルチパス干渉除去装置のタップ数に応じて、前記サンプル数を制御することを特徴とする請求項１〜５のいずれか１項に記載の移動通信端末。
【請求項７】
前記サンプル数制御手段は、前記タップ数が所定の閾値以上である場合に、前記サンプル数を低減させることを特徴とする請求項６記載の移動通信端末。
【発明の詳細な説明】
【技術分野】
【０００１】
本発明は、マルチパス干渉除去装置を搭載した移動通信端末に関する。
【背景技術】
【０００２】
近年、インターネットが急速に普及するとともに、情報の多元化や大容量化が推し進められている。これに伴って移動体通信分野においては、高速無線通信を実現するための次世代無線アクセス方式に関する研究や開発が盛んに行われている。次世代無線アクセス方式としては、例えば、ＨＳＤＰＡ（High Speed Downlink PacketAccess）がある。このＨＳＤＰＡは、移動通信端末の受信環境に応じてスループットを変動させる適応変復調・誤り訂正符号化（ＡＭＣ：Adaptive Modulation andchannel Coding）技術を採用している。また、ＨＳＤＰＡでは、マルチパス干渉を除去するマルチパス干渉除去装置を移動通信端末に搭載することによって、移動通信端末の受信能力を向上させ、スループットを向上させることについて検討されている。
【０００３】
ところで、移動通信端末は、基地局から送信された信号を受信する際に、遅延波も受信する。この遅延波は、基地局から送信された信号が、反射・散乱・回折することによって生じる。そして、この遅延波がマルチパス干渉となり、移動通信端末の受信能力に大きな影響を及ぼす。下記非特許文献１には、この遅延波によるマルチパス干渉の影響を低減させる方法が開示されている。
【非特許文献１】A.Klein, "Data Detection Algorithms Specially Designed for the Downlink ofMobile Radio Systems," Proc. of IEEE VTC'97, pp. 203-207, Phoenix, May 1997.T. Kawamura, K.Higuchi, Y. Kishiyama, and M. Sawahashi, "Comparison between multipathinterference canceller and chip equalizer in HSDPA in multipath channel,"Proc. of IEEE VTC 2002, pp. 459-463,Birmingham, May 2002.
【発明の開示】
【発明が解決しようとする課題】
【０００４】
ここで、非特許文献１に開示されているマルチパス干渉除去方法について図８〜図１０を参照して説明する。まず、図８に、この方法で使用されるマルチパス干渉除去装置９０の機能構成を示す。図８に示すように、マルチパス干渉除去装置９０は、遅延プロファイル作成部９１と、チャネル行列生成部９２と、重み行列生成部９３と、干渉除去部９４とを有する。
【０００５】
遅延プロファイル作成部９１は、共通パイロットチャネル（CPICH: Common Pilot Channel）を用いて基地局から送信された信号を逆拡散して、図９に示す遅延プロファイルを生成する。図９に示す遅延プロファイルの横軸は時間を表し、縦軸は受信電力を表す。図９に示す遅延プロファイルは、最初に到達した希望波ＳＡの受信電力ＳＡＰが一番大きく、次に到達した遅延波ＳＢの受信電力ＳＢＰが一番小さく、最後に到達した遅延波ＳＣの受信電力ＳＣＰが中間の値であることを示している。ｐ１は、希望波ＳＡの受信電力ＳＡＰと遅延波ＳＢの受信電力ＳＢＰとの電力差を表し、ｐ２は、希望波ＳＡの受信電力ＳＡＰと遅延波ＳＣの受信電力ＳＣＰとの電力差を表している。
【０００６】
遅延プロファイル作成部９１は、図９に示す遅延プロファイルに基づいて、各受信パスＳＡ〜ＳＣの受信電力ＳＡＰ〜ＳＣＰおよび遅延量ｄ１，ｄ２を測定する。なお、遅延量の替わりに希望波や遅延波の受信タイミングを測定することとしてもよい。また、遅延プロファイル作成部９１は、ＭＦ（Matched Filter）機能を有している。
【０００７】
チャネル行列生成部９２は、図１０（ａ）に示すタップ数（等化窓幅）Ｗと最大遅延幅Ｄとに基づいて、図１０（ｂ）に示すチャネル行列Ｈを生成する。チャネル行列Ｈは、（Ｗ＋Ｄ）行Ｗ列の行列として表される。ここで、タップ数Ｗは、チャネル行列Ｈを生成する際に最大遅延幅Ｄ内にある各パスに対するサンプル数と合致し、任意に設定可能である。なお、図１０（ａ）は、図９に示す遅延プロファイルのうちの下部にあたる部分のみを示した図である。
【０００８】
重み行列生成部９３は、図１０（ｂ）に示すチャネル行列Ｈを、下記数式１に代入して演算することにより重み行列を生成する。なお、数式１のσ２は雑音電力であり、Ｉは単位行列である。
【数１】
2007049500.tif 000003
【０００９】
干渉除去部９４は、チャネル上のデータに重み行列を乗算することによりマルチパス干渉を除去する。
【００１０】
ところで、このような高精度の方法でマルチパス干渉除去を行うと、チップ単位での行列演算や、サンプル数に応じた信号処理が必要となる。したがって、移動通信端末における演算量が増大してしまい、マルチパス干渉除去装置を搭載した移動通信端末における処理に多大な負担がかかる。さらに、上述したＡＭＣ技術では、フィードバックを必要とするため、演算量が増大して演算処理時間を超過してしまうとタイムラグが生じてしまい、移動通信システムにおける動作に支障を来すことになる。
【００１１】
そこで、本発明は、上述した課題を解決するために、マルチパス干渉を除去する際の演算量を低減させることができる移動通信端末を提供することを目的とする。
【課題を解決するための手段】
【００１２】
本発明の移動通信端末は、マルチパス干渉を除去するマルチパス干渉除去装置を搭載する移動通信端末であって、受信信号からサンプリングするサンプル数を制御するサンプル数制御手段と、サンプル数制御手段により制御されるサンプル数分のサンプルデータに基づいてチャネル行列を生成するチャネル行列生成手段と、チャネル行列生成手段により生成されたチャネル行列に基づいてマルチパス干渉を除去する干渉除去手段と、を備えることを特徴とする。
【００１３】
この発明によれば、サンプル数制御手段により制御されるサンプル数分のサンプルデータに基づいてチャネル行列を生成し、このチャネル行列に基づいてマルチパス干渉を除去することができる。これにより、受信信号からサンプリングするサンプル数を低減させることが可能となり、サンプル数を低減させることによって、マルチパス干渉を除去する際の演算量を低減させることができる。
【００１４】
本発明の移動通信端末において、上記サンプル数制御手段は、Ａ／Ｄコンバータにおいてサンプリングされたサンプルデータから所定のサンプリングレートに対応するサンプルデータを抽出することによってサンプル数を制御することが好ましい。これにより、サンプル数を、所定のサンプリングレートに対応するサンプルデータ分にまで低減させることができる。
【００１５】
本発明の移動通信端末において、上記所定のサンプリングレートは、Ａ／Ｄコンバータにおけるサンプリングレートよりも低く、かつチップレートの２ｎ倍（ｎ：０以上の整数）のサンプリングレートであることが好ましい。これにより、サンプル数を、チップレートの２ｎ倍のサンプリングレートに対応するサンプルデータ分にまで低減させることができる。
【００１６】
本発明の移動通信端末において、上記サンプル数制御手段は、マルチパス干渉除去装置が起動したときに、Ａ／Ｄコンバータにおけるサンプリングレートを所定のサンプリングレートに下げることによってサンプル数を制御することが好ましい。これにより、サンプル数を、所定のサンプリングレートに対応するサンプルデータ分にまで低減させることができる。
【００１７】
本発明の移動通信端末において、上記所定のサンプリングレートは、チップレートの２ｎ倍（ｎ：０以上の整数）のサンプリングレートであることが好ましい。これにより、サンプル数を、チップレートの２ｎ倍のサンプリングレートに対応するサンプルデータ分にまで低減させることができる。
【００１８】
本発明の移動通信端末において、上記サンプル数制御手段は、マルチパス干渉除去装置のタップ数に応じて、サンプル数を制御することが好ましい。これにより、タップ数に応じてサンプル数を低減させることができる。
【００１９】
本発明の移動通信端末において、上記サンプル数制御手段は、タップ数が所定の閾値以上である場合に、サンプル数を低減させることが好ましい。これにより、タップ数が所定の閾値以上である場合にのみサンプル数を低減させることができる。
【発明の効果】
【００２０】
本発明に係る移動通信端末によれば、マルチパス干渉を除去する際の演算量を低減させることができる。
【発明を実施するための最良の形態】
【００２１】
以下において、本発明に係る移動通信端末の実施形態を、図面に基づき説明する。なお、各図において、同一要素には同一符号を付して重複する説明を省略する。
【００２２】
図１に示すように、各実施形態における移動通信端末１は、基地局から送信された信号を受信する受信装置５と、受信信号からマルチパス干渉を除去するマルチパス干渉除去装置６とを備えている。受信装置５には、アンテナ５ａを介して受信された信号をＡ／Ｄ変換するＡ／Ｄコンバータ５ｂが備えられている。また、各実施形態における移動通信端末１は、例えばＨＳＤＰＡによる高速無線通信機能を搭載しており、ハイレートな誤り訂正符号や、１６ＱＡＭ（Quadrature Amplitude Modulation；直行振幅変調）、６４ＱＡＭ等の多値変調を用いることによって、周波数利用効率を高めて高速無線通信を実現している。なお、移動通信端末としては、例えば、携帯電話機、簡易型携帯電話機（ＰＨＳ）、通信機能を有する携帯型情報端末（ＰＤＡ）等が該当する。
【００２３】
本発明に係る移動通信端末１は、受信信号のサンプル数を制御することによって、マルチパス干渉を除去する際の演算量を低減させる点に特徴がある。第１実施形態における移動通信端末は、マルチパス干渉除去装置６側でサンプル数を制御することを特徴としており、第２実施形態における移動通信端末は、Ａ／Ｄコンバータ５ｂ側でサンプル数を制御することを特徴としている。以下において、各実施形態における移動通信端末について説明する。
【００２４】
[第１実施形態]
図２は、第１実施形態における移動通信端末１の機能構成を例示する図である。図２に示すように、移動通信端末１は、Ａ／Ｄ変換部１１と、遅延プロファイル作成部１２と、サンプル数制御部１３と、チャネル行列生成部１４と、重み行列生成部１５と、干渉除去部１６とを有する。
【００２５】
Ａ／Ｄ変換部１１は、予め定められたサンプリングレートにしたがって受信信号からサンプルデータをサンプリングすることにより、Ａ／Ｄ変換を行う。本実施形態におけるＡ／Ｄ変換部１１は、チップレートの４倍のサンプリングレートでＡ／Ｄ変換を行う。
【００２６】
遅延プロファイル作成部１２は、上述した背景技術で説明した遅延プロファイル作成部９１と同様に、共通パイロットチャネルを用いて基地局から送信された信号を逆拡散して、図９に示す遅延プロファイルを生成する。
【００２７】
サンプル数制御部１３は、Ａ／Ｄ変換部１１によってサンプリングされたサンプルデータから、干渉除去用のサンプリングレート（所定のサンプリングレート）に対応するサンプルデータを抽出する。本実施形態においては、干渉除去用のサンプリングレートとして、チップレートと同じサンプリングレートが設定されている。したがって、サンプル数制御部１３によってサンプルデータが抽出されることにより、サンプリングレートが、チップレートの４倍のサンプリングレートからチップレートと同じサンプリングレートに下げられる。これにより、チップレートと同じサンプリングレートによってサンプリングされたサンプルデータを用いてマルチパス干渉除去をすることができるようになる。
【００２８】
サンプル数制御部１３は、マルチパス干渉除去装置６のタップ数に応じて、サンプル数を制御する。具体的に説明すると、例えば、サンプル数制御部１３は、タップ数が所定の閾値以上である場合に、Ａ／Ｄ変換部１１によってサンプリングされたサンプルデータから、干渉除去用のサンプリングレートに対応するサンプルデータを抽出する。すなわち、この場合には、チップレートに対応するサンプルデータに基づいて、マルチパス干渉除去が行われることになる。一方、サンプル数制御部１３は、タップ数が所定の閾値未満である場合には、上述したサンプルデータを抽出しない。すなわち、この場合には、チップレートの４倍のサンプリングレートに対応するサンプルデータに基づいて、マルチパス干渉除去が行われることになる。
【００２９】
ここで、タップ数が増えるとチャネル行列Ｈを生成する際に使用するパスごとのサンプル数（チャネル推定値）が増えるため、チャネル行列Ｈの行数および列数も増える。したがって、タップ数が多いほど、チャネル行列Ｈを用いた演算量が増大するため、サンプリングレートを下げて演算量を低減させる効果は大きい。これに対して、タップ数が少なければ、それだけチャネル行列Ｈを用いた演算量を低減させることができる。したがって、タップ数が少ない場合には、サンプリングレートを下げて演算量を低減させるよりも、サンプリングレートを下げずに、より精度の高い干渉除去を実現させる方が効果的な場合がある。そこで、タップ数に応じてサンプル数を制御することにした。なお、タップ数は、予め設定することとしてもよいし、通信状況等に応じて適宜変更されることとしてもよい。
【００３０】
チャネル行列生成部１４は、サンプル数制御部１３により制御されるサンプル数分のサンプルデータに基づいてチャネル行列Ｈを生成する。具体的に説明すると、チャネル行列生成部１４は、干渉除去用のサンプリングレートに対応するサンプルデータ、または、Ａ／Ｄ変換部１１によってチップレートの４倍のサンプリングレートでサンプリングされたサンプルデータに基づいて、図１０（ｂ）に示すチャネル行列Ｈを生成する。
【００３１】
重み行列生成部１５は、上述した背景技術における重み行列生成部９３と同様にして、チャネル行列生成部１４により生成されたチャネル行列Ｈに基づいて重み行列を生成する。
【００３２】
干渉除去部１６は、上述した背景技術における干渉除去部９４と同様にして、チャネル上のデータに、重み行列生成部１５により生成された重み行列を乗算することによってマルチパス干渉を除去する。
【００３３】
ここで、図３および図４を参照して、チップレートの４倍のサンプリングレートをチップレートと同じサンプリングレートに下げることによって、マルチパス干渉除去時の演算量が低減することについて説明する。
【００３４】
図３は、チップレートの４倍のサンプリングレートによってサンプリングしている際（図３（ａ）参照）に生成されるチャネル行列Ｈ（図３（ｂ）参照）を模式的に示した図であり、図４は、チップレートと同じサンプリングレートによってサンプリングしている際（図４（ａ）参照）に生成されるチャネル行列Ｈ（図４（ｂ）参照）を模式的に示した図である。図４（ｂ）に示すチャネル行列Ｈの行数および列数は、図３（ｂ）に示すチャネル行列Ｈの行数および列数のそれぞれ１／４になる。すなわち、サンプリングレートを下げることによって、チャネル行列Ｈの行数および列数が減ることになる。ここで、チャネル行列Ｈは、上述した重み行列を算出するための数式１に代入される。したがって、サンプリングレートを下げた後のチャネル行列Ｈを用いて重み行列を算出することによって、演算量が大幅に低減する。
【００３５】
なお、干渉除去用のサンプリングレートは、チップレートと同じサンプリングレートに限定されることはなく、Ａ／Ｄ変換部１１におけるサンプリングレートよりも低いサンプリングレートであって、かつ、チップレートの２ｎ倍（ｎ：０以上の整数）のサンプリングレートであればよい。したがって、本実施形態においては、Ａ／Ｄ変換部１１におけるサンプリングレートがチップレートの４倍であるため、干渉除去用のサンプリングレートは、チップレートの２倍のサンプリングレートであってもよい。
【００３６】
次に、サンプリングレートによって演算量がどの程度相違するのかを理論的に計算した結果を表１に示す。
【表１】
2007049500.tif 000004
【００３７】
表１に示す各演算量は、サンプリングレートをチップレートと同じサンプリングレートにした場合における乗算回数および加算回数を基準値（1.00）として、サンプリングレートをチップレートの２倍または４倍にした場合の乗算回数および加算回数を数値化して表したものである。サンプリングレートをチップレートの２倍にした場合には、乗算回数が6.36回となり、加算回数が5.45回となった。また、サンプリングレートをチップレートの４倍にした場合には、乗算回数が48.42回となり、加算回数が39.49回となった。
【００３８】
次に、図５を参照して、マルチパス干渉除去処理を行う際の移動通信端末１の動作について説明する。
【００３９】
まず、移動通信端末１の遅延プロファイル作成部１２は、マルチパス干渉除去装置６が起動されたときに（ステップＳ１）、共通パイロットチャネル（CPICH）を用いて基地局から送信された制御信号に基づいて、遅延プロファイル（図９参照）を作成する（ステップＳ２）。
【００４０】
次に、移動通信端末１のサンプル数制御部１３は、マルチパス干渉除去装置６のタップ数Ｗが所定の閾値以上であるか否かを判定する（ステップＳ３）。この判定が、ＮＯである場合（ステップＳ３；ＮＯ）には、処理をステップＳ５に移行する。
【００４１】
一方、ステップＳ３において、タップ数Ｗが所定の閾値以上であると判定された場合（ステップＳ３；ＹＥＳ）には、サンプル数制御部１３は、Ａ／Ｄ変換部１１によってサンプリングされたサンプルデータから、干渉除去用のサンプリングレートであるチップレートに対応するサンプルデータを抽出する（ステップＳ４）。
【００４２】
次に、チャネル行列生成部１４は、サンプルデータに基づいてチャネル行列を生成する（ステップＳ５）。具体的に説明すると、チャネル行列生成部１４は、ステップＳ３における判定がＹＥＳである場合には、干渉除去用のサンプリングレートであるチップレートでサンプリングされたサンプルデータに基づいてチャネル行列Ｈを生成し、ステップＳ３における判定がＮＯである場合には、Ａ／Ｄ変換部１１によってチップレートの４倍のサンプリングレートでサンプリングされたサンプルデータに基づいてチャネル行列Ｈを生成する。
【００４３】
次に、重み行列生成部１５は、チャネル行列生成部１４により生成されたチャネル行列を、上述した数式１に代入することによって重み行列を生成する（ステップＳ６）。
【００４４】
次に、干渉除去部１６は、チャネル上のデータに重み行列を乗算することによってマルチパス干渉を除去する（ステップＳ７）。
【００４５】
以上のように、第１実施形態における移動通信端末１によれば、Ａ／Ｄ変換部１１においてサンプリングされたサンプルデータから干渉除去用のサンプリングレートであるチップレートに対応するサンプルデータが抽出されるため、サンプル数を、チップレートに対応するサンプルデータ分にまで低減させることができる。また、このサンプルデータに基づいてチャネル行列が生成されるため、チャネル行列の行数および列数を減らすことができる。これにより、重み行列を算出する際の演算量を確実に低減させることができる。
【００４６】
なお、上述した第１実施形態におけるサンプル数制御部１３では、タップ数が所定の閾値以上であるか否かにより、干渉除去用のサンプリングレートに対応するサンプルデータを抽出するか否かを決定しているが、タップ数に応じてサンプル数を制御する方法はこれに限られない。例えば、タップ数ごとに予めサンプリングレートを定めておき、タップ数ごとに定められているサンプリングレートに対応するサンプルデータを抽出することとしてもよい。
【００４７】
[第２実施形態]
次に、本発明の第２実施形態について説明する。まず、図６を参照して第２実施形態における移動通信端末１ｓの機能構成について説明する。図６に示すように、第２実施形態における移動通信端末１ｓは、Ａ／Ｄ変換部１１と、遅延プロファイル作成部１２と、サンプル数制御部１３ｓと、チャネル行列生成部１４と、重み行列生成部１５と、干渉除去部１６とを有する。
【００４８】
第２実施形態における移動通信端末１ｓが、第１実施形態における移動通信端末１と異なる点は、第２実施形態におけるサンプル数制御部１３ｓの機能が、第１実施形態におけるサンプル数制御部１３と異なる点である。したがって、それ以外の機能は、基本的には第１実施形態における移動通信端末１の各機能と同様であるので、各構成要素には同一の符合を付しその説明は省略すると共に、以下において第１実施形態との相違点について詳述する。
【００４９】
サンプル数制御部１３ｓは、マルチパス干渉除去装置６が起動したときに、Ａ／Ｄ変換部１１におけるサンプリングレートを干渉除去用のサンプリングレート（所定のサンプリングレート）に下げる。本実施形態においては、干渉除去用のサンプリングレートとして、チップレートと同じサンプリングレートが設定されている。また、Ａ／Ｄ変換部１１における通常時のサンプリングレートとして、チップレートの４倍のサンプリングレートが設定されている。なお、上述した第１実施形態と同様に、干渉除去用のサンプリングレートは、チップレートと同じサンプリングレートに限定されることはなく、Ａ／Ｄ変換部１１におけるサンプリングレートよりも低いサンプリングレートであって、かつ、チップレートの２ｎ倍（ｎ：０以上の整数）のサンプリングレートであればよい。
【００５０】
したがって、マルチパス干渉除去装置６が起動したときには、Ａ／Ｄ変換部１１におけるサンプリングレートが、チップレートの４倍のサンプリングレートからチップレートと同じサンプリングレートに下げられる。これにより、チップレートと同じサンプリングレートによってサンプリングされたサンプルデータを用いてマルチパス干渉除去をすることができるようになる。
【００５１】
サンプル数制御部１３ｓは、マルチパス干渉除去装置６が停止したときには、Ａ／Ｄ変換部１１におけるサンプリングレートを通常時のサンプリングレートに上げる。したがって、マルチパス干渉除去装置６が停止したときには、Ａ／Ｄ変換部１１におけるサンプリングレートが、チップレートと同じサンプリングレートからチップレートの４倍のサンプリングレートに上げられる。
【００５２】
なお、サンプル数制御部１３が、マルチパス干渉除去装置６のタップ数（等化窓幅）に応じて、サンプル数を制御する点については、第１実施形態と同様であるため、その説明を省略する。
【００５３】
次に、図７を参照して、マルチパス干渉除去処理を行う際の移動通信端末１ｓの動作について説明する。
【００５４】
まず、移動通信端末１のサンプル数制御部１３は、マルチパス干渉除去装置６が起動したとき（ステップＳ１１）に、マルチパス干渉除去装置６のタップ数Ｗが所定の閾値以上であるか否かを判定する（ステップＳ１２）。この判定が、ＮＯである場合（ステップＳ１２；ＮＯ）には、処理をステップＳ１４に移行する。
【００５５】
一方、ステップＳ１２において、タップ数Ｗが所定の閾値未満であると判定された場合（ステップＳ１２；ＹＥＳ）には、サンプル数制御部１３は、Ａ／Ｄ変換部１１におけるサンプリングレートを干渉除去用のサンプリングレートであるチップレートに下げる（ステップＳ１３）。
【００５６】
次に、Ａ／Ｄ変換部１１は、干渉除去用のサンプリングレートにしたがって受信信号からサンプルデータをサンプリングすることにより、Ａ／Ｄ変換を行う（ステップＳ１４）。
【００５７】
次に、遅延プロファイル作成部１２は、共通パイロットチャネル（CPICH）を用いて基地局から送信された制御信号に基づいて、遅延プロファイル（図９参照）を作成する（ステップＳ１５）。
【００５８】
次に、チャネル行列生成部１４は、サンプルデータに基づいてチャネル行列を生成する（ステップＳ１６）。具体的に説明すると、チャネル行列生成部１４は、干渉除去用のサンプリングレートであるチップレートでサンプリングされたサンプルデータに基づいてチャネル行列Ｈを生成する。
【００５９】
次に、重み行列生成部１５は、チャネル行列生成部１４により生成されたチャネル行列を、上述した数式１に代入することによって重み行列を生成する（ステップＳ１７）。
【００６０】
次に、干渉除去部１６は、チャネル上のデータに重み行列を乗算することによってマルチパス干渉を除去する（ステップＳ１８）。
【００６１】
以上のように、第２実施形態における移動通信端末１ｓによれば、マルチパス干渉除去装置が起動したときに、Ａ／Ｄ変換部１１におけるサンプリングレートを干渉除去用のサンプリングレートであるチップレートに下げることができるため、サンプル数を、チップレートに対応するサンプルデータ分にまで低減させることができる。また、このサンプルデータに基づいてチャネル行列が生成されるため、チャネル行列の行数および列数を減らすことができる。これにより、重み行列を算出する際の演算量を確実に低減させることができる。
【００６２】
なお、上述した第２実施形態におけるサンプル数制御部１３ｓでは、タップ数が所定の閾値以上であるか否かにより、Ａ／Ｄ変換部１１におけるサンプリングレートを干渉除去用のサンプリングレートであるチップレートに下げるか否かを決定しているが、タップ数に応じてサンプル数を制御する方法はこれに限られない。例えば、タップ数ごとに予めサンプリングレートを定めておき、Ａ／Ｄ変換部１１におけるサンプリングレートを、タップ数ごとに定められているサンプリングレートに下げることとしてもよい。
【図面の簡単な説明】
【００６３】
【図１】各実施形態における移動通信端末の概略構成を例示するための図である。
【図２】第１実施形態における移動通信端末の機能構成を例示する図である。
【図３】（ａ）はチップレートの４倍のサンプリングレートによってサンプリングしていることを示すグラフであり、（ｂ）はそのときに生成されるチャネル行列を示した模式図である。
【図４】（ａ）はチップレートと同じサンプリングレートによってサンプリングしていることを示すグラフであり、（ｂ）はそのときに生成されるチャネル行列を示した模式図である。
【図５】第１実施形態における移動通信端末の動作を説明するためのフローチャートである。
【図６】第２実施形態における移動通信端末の機能構成を例示する図である。
【図７】第２実施形態における移動通信端末の動作を説明するためのフローチャートである。
【図８】従来のマルチパス干渉除去装置の機能構成を例示する図である。
【図９】遅延プロファイルを説明するための図である。
【図１０】（ａ）はサンプル数と最大遅延幅の関係を説明するための図であり、（ｂ）は、チャネル行列を説明するための図である。
【符号の説明】
【００６４】
１，１ｓ・・・移動通信端末、５・・・受信装置、５ａ・・・アンテナ、５ｂ・・・Ａ／Ｄコンバータ、６・・・マルチパス干渉除去装置、１１・・・Ａ／Ｄ変換部、１２・・・遅延プロファイル作成部、１３・・・サンプル数制御部、１３ｓ・・・サンプル数制御部、１４・・・チャネル行列生成部、１５・・・重み行列生成部、１６・・・干渉除去部。
【図１】
2007049500.tif 000005
【図２】
2007049500.tif 000006
【図３】
2007049500.tif 000007
【図４】
2007049500.tif 000008
【図５】
2007049500.tif 000009
【図６】
2007049500.tif 000010
【図７】
2007049500.tif 000011
【図８】
2007049500.tif 000012
【図９】
2007049500.tif 000013
【図１０】
2007049500.tif 000014